【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
上部分（１０）と、前記上部分に旋回軸（１２）を中心に旋回可能に取り付けられた下部分（２０）と、回転油圧装置（３０）と、前記下部分（２０）に対する前記上部分（１０）の旋回動作を補助するプレテンション装置（４０）とを備え、
前記回転油圧装置が、チャンバ（３２）と、前記チャンバ（３２）の中に旋回可能に取り付けられた旋回ピストン（３３）とを備えるハウジング（３１）を有し、前記旋回ピストンが、前記チャンバ（３２）を屈曲チャンバ（３４）と伸展チャンバ（３５）とに分割し、これら屈曲チャンバ、伸展チャンバ（３４，３５）が少なくとも１つの流路（３６）を介して油圧的に相互に接続している整形外科用関節において、
前記プレテンション装置（４０）が支材（４１）を介して前記旋回ピストン（３３）に直接的に結合されていることを特徴とする関節。
【請求項２】
前記支材（４１）が、旋回可能に前記旋回ピストン（３３）内に、又はこれに接して取り付けられていることを特徴とする、請求項１に記載の関節。
【請求項３】
前記支材（４１）が座屈に対して安定であることを特徴とする、請求項１又は２に記載の関節。
【請求項４】
前記支材（４１）が、前記プレテンション装置（４０）からの引張力及び／又は押圧力を、前記旋回ピストン（３３）に伝達することを特徴とする、請求項１から３のいずれか一項に記載の関節。
【請求項５】
前記支材（４１）が油圧流体内に案内されていることを特徴とする、請求項１から４のいずれか一項に記載の関節。
【請求項６】
前記プレテンション装置（４０）がばね（４２）を有し、前記ばね（４２）の上に、又はこれに接して前記支材（４１）が取り付けられていることを特徴とする、請求項１から５のいずれか一項に記載の関節。
【請求項７】
前記支材（４１）が、前記ばね（４２）と前記支材（４１）との間に配置されている滑動体（４３）の上に、又はこれに接して取り付けられていることを特徴とする、請求項６に記載の関節。
【請求項８】
前記滑動体（４３）が、前記チャンバ（３２）と流体連通しているブッシュ（５０）内に案内されていることを特徴とする、請求項７に記載の関節。
【請求項９】
前記滑動体（４３）の中に、又はこれに接して、油圧流体用の少なくとも１つの凹部及び／又は通路（４３１）が配置されていることを特徴とする、請求項７又は８に記載の関節。
【請求項１０】
凹部（３３１）が前記旋回ピストン（３３）内に形成されており、前記凹部（３３１）の中に前記支材（４１）が受容されていることを特徴とする、請求項１から９のいずれか一項に記載の関節。
【請求項１１】
前記支材（４１）がＳ字型の形状を有することを特徴とする、請求項１から１０のいずれか一項に記載の関節。
【請求項１２】
前記旋回ピストン（３３）における前記支材（４１）との結合点（３８）が、前記旋回ピストン（３３）の複数の終端位置で、前記旋回軸（１２）のそれぞれ異なる側にあることを特徴とする、請求項１から１１のいずれか一項に記載の関節。
【請求項１３】
前記流路（３６）が前記ハウジング（３１）内に形成されていることを特徴とする、請求項１から１２のいずれか一項に記載の関節。
【請求項１４】
スロットル（３７）が前記流路（３６）に配置されていることを特徴とする、請求項１から１３のいずれか一項に記載の関節。
【請求項１５】
前記関節が義肢又は矯正器具に適しており、特に義肢用継手又は矯正器具用継手、特に義足膝継手として設計されていることを特徴とする、請求項１から１４のいずれか一項に記載の関節。
【手続補正２】
【補正対象書類名】明細書
【補正対象項目名】００３６
【補正方法】変更
【補正の内容】
【００３６】
ブッシュ５０は、直線的な構成以外にも、湾曲した構成にされてもよい。コイルばね４２の代わりに、異なるばね装置または動力蓄積装置、例えば皿ばね、螺旋皿ばね、または類似物が設けられることができる。ブッシュ５０は、下部分２０内にある。ブッシュ５０は、ハウジング内にねじ締めされることが可能であり、これによりプレテンション装置４０の容易な取付が可能になる。これによって、異なるばね４２を設置する、または継手装置に後からプレテンション装置４０を装備することも可能である。プレテンション装置４０がない場合は、チャンバ３２への出入り口は単に栓で閉鎖される。
以下に、出願当初の特許請求の範囲に記載の事項を、そのまま、付記しておく。
［１］  上部分（１０）と、前記上部分に旋回軸（１２）を中心に旋回可能に支持される下部分（２０）と、回転油圧装置（３０）と、前記下部分（２０）に対する前記上部分（１０）の旋回動作を補助するプレテンション装置（４０）とを有し、
前記回転油圧装置が、チャンバ（３２）と、前記チャンバ（３２）の中に旋回可能に支持される旋回ピストン（３３）とを備えるハウジング（３１）を有し、
前記旋回ピストンが、前記チャンバ（３２）を屈曲チャンバ（３４）と伸展チャンバ（３５）とに分割し、これらが少なくとも１つの流路（３６）を介して油圧的に相互に接続している整形外科用関節において、
前記プレテンション装置（４０）が支材（４１）を介して前記旋回ピストン（３３）に直接的に結合されていることを特徴とする関節。
［２］  前記支材（４１）が、旋回可能に前記旋回ピストン（３３）内に、又はこれに接して取り付けられていることを特徴とする、［１］に記載の関節。
［３］  前記支材（４１）が耐座屈性を備えるように設計されていることを特徴とする、［１］又は［２］に記載の関節。
［４］  前記支材（４１）が、前記プレテンション装置（４０）からの引張力及び／又は押圧力を、前記旋回ピストン（３３）に伝達することを特徴とする、［１］から［３］のいずれか一項に記載の関節。
［５］  前記支材（４１）が油圧流体内に案内されていることを特徴とする、［１］から［４］のいずれか一項に記載の関節。
［６］  前記プレテンション装置（４０）がばね（４２）を有し、前記プレテンション装置（４０）の上に、又はこれに接して前記支材（４１）が支持されていることを特徴とする、［１］から［５］のいずれか一項に記載の関節。
［７］  前記支材（４１）が、前記ばね（４２）と前記支材（４１）との間に配置されている滑動体（４３）の上に、又はこれに接して支持されていることを特徴とする、［６］に記載の関節。
［８］  前記滑動体（４３）が、前記チャンバ（３２）と流体工学的に接続しているブッシュ（５０）内に案内されていることを特徴とする、［７］に記載の関節。
［９］  前記滑動体（４３）の中に、又はこれに接して、油圧流体用の少なくとも１つの凹部及び／又は通路（４３１）が配置されていることを特徴とする、［７］又は［８］に記載の関節。
［１０］  凹部（３３１）が前記旋回ピストン（３３）内に形成されており、前記凹部（３３１）の中に前記支材（４１）が受けられていることを特徴とする、［１］から［９］のいずれか一項に記載の関節。
［１１］  前記支材（４１）がＳ字型の形状を有することを特徴とする、［１］から［１０］のいずれか一項に記載の関節。
［１２］  前記旋回ピストン（３３）における前記支材（４１）との結合点（３８）が、前記旋回ピストン（３３）の複数の終端位置で、前記旋回軸（１２）のそれぞれ異なる側にあることを特徴とする、［１］から［１１］のいずれか一項に記載の関節。
［１３］  前記流路（３６）が前記ハウジング（３１）内に形成されていることを特徴とする、［１］から［１２］のいずれか一項に記載の関節。
［１４］  スロットル（３７）が前記流路（３６）内に配置されていることを特徴とする、［１］から［１３］のいずれか一項に記載の関節。
［１５］  前記関節が義肢又は矯正器具に適しており、特に義肢用継手又は矯正器具用継手、特に義足膝継手として設計されていることを特徴とする、［１］から［１４］のいずれか一項に記載の関節。